(57)【要約】  本発明はサービスアクティブ化及び非アクティブ化の方法、装置、コンピュータ記憶媒体を開示し、前記方法は、端末が、ネットワークエンティティへの登録を開始するプロセスにおいて、前記ネットワークエンティティに指示情報を送信し、前記指示情報は前記ネットワークエンティティにアクティブ化必要なサービス及び／又は非アクティブ化必要なサービスを示すことに用いられることを含む。
2021512512.tif 000002
【特許請求の範囲】
【請求項１】
サービスアクティブ化及び非アクティブ化の方法であって、
端末が、ネットワークエンティティへの登録を開始するプロセスにおいて、前記ネットワークエンティティに指示情報を送信し、前記指示情報は前記ネットワークエンティティにアクティブ化必要なサービス及び／又は非アクティブ化必要なサービスを示すことに用いられることを含むサービスアクティブ化及び非アクティブ化の方法。
【請求項２】
前記端末が、ネットワークエンティティへの登録を開始するプロセスにおいて、前記ネットワークエンティティに指示情報を送信することは、
端末が、ネットワークエンティティへの登録を開始するプロセスにおいて、前記ネットワークエンティティに、アクティブ化するサービスのリスト及び／又は非アクティブ化するサービスのリストを含む指示情報を送信し、
前記アクティブ化するサービスのリストは、１つ以上のアクティブ化必要なサービス情報を含み、前記非アクティブ化するサービスのリストは、１つ以上の非アクティブ化必要なサービス情報を含むことを含む請求項１に記載の方法。
【請求項３】
前記サービス情報は少なくとも、サービスの識別情報を含む請求項２に記載の方法。
【請求項４】
前記サービス情報は、少なくとも、サービスの所属する公衆陸上移動網エンティティ（ＰＬＭＮ）の識別情報またはネットワークエンティティスライスの識別情報を含む請求項２または３に記載の方法。
【請求項５】
端末が前記ネットワークエンティティに指示情報を送信することは、
前記端末が前記ネットワークエンティティに登録要求メッセージを送信し、前記登録要求メッセージは前記指示情報を含むことを含む請求項１に記載の方法。
【請求項６】
端末が前記ネットワークエンティティに指示情報を送信することは、
前記端末が前記ネットワークエンティティに登録完了メッセージを送信し、前記登録完了メッセージは前記指示情報を含むことを含む請求項１に記載の方法。
【請求項７】
前記端末がネットワークエンティティへの登録を開始するプロセスにおいて、前記ネットワークエンティティに指示情報を送信することは、
前記端末がネットワークエンティティへのアタッチを開始するプロセスにおいて、前記ネットワークエンティティに指示情報を送信することを含む請求項１に記載の方法。
【請求項８】
前記端末がネットワークエンティティへの登録を開始するプロセスにおいて、前記ネットワークエンティティに指示情報を送信することは、
前記端末がネットワークエンティティに対して位置エリアの更新を開始するプロセスにおいて、前記ネットワークエンティティに指示情報を送信することを含む請求項１に記載の方法。
【請求項９】
前記端末がネットワークエンティティへの登録を開始するプロセスにおいて、前記ネットワークエンティティに指示情報を送信することは、
前記端末がネットワークエンティティに対してトラッキングエリアの更新を開始するプロセスにおいて、前記ネットワークエンティティに指示情報を送信することを含む請求項１に記載の方法。
【請求項１０】
前記指示情報は更に、非アクティブ化必要なサービスのコンテキストを解放するように前記ネットワークエンティティをトリガすることに用いられる請求項１に記載の方法。
【請求項１１】
ネットワークエンティティが変更を送信する場合において、端末が前記ネットワークエンティティに指示情報を送信することは、
端末がターゲットネットワークエンティティに指示情報を送信し、前記指示情報は、ソースネットワークエンティティに前記指示情報を送信することと、前記ソースネットワークエンティティから送信されたアクティブ化必要なサービスのコンテキストを受信することとを実行するように前記ターゲットネットワークエンティティをトリガすることに用いられることを含む請求項１に記載の方法。
【請求項１２】
前記指示情報は、前記指示情報に基づいてアクティブ化必要なサービスを決定し、そして前記アクティブ化必要なサービスのコンテキストを前記ターゲットネットワークエンティティに送信することを実行するように、前記ソースネットワークエンティティをトリガすることに用いられ、
前記指示情報は、前記指示情報に基づいて非アクティブ化必要なサービスを決定し、そして前記非アクティブ化必要なサービスのコンテキストを削除することを実行するように、前記ソースネットワークエンティティをトリガすることに用いられる請求項１１に記載の方法。
【請求項１３】
前記アクティブ化必要なサービスまたは非アクティブ化必要なサービスは、
プロトコルデータユニット（ＰＤＵ）セッション、パケットデータネットワーク（ＰＤＮ）接続、サービス品質（ＱｏＳ）フロー、ベアラ、データフローの内の１つ又は複数のサービスを含む請求項１に記載の方法。
【請求項１４】
前記ネットワークエンティティはコアネットワークのネットワーク要素である請求項１〜１３のいずれか１項に記載の方法。
【請求項１５】
サービスアクティブ化及び非アクティブ化の装置であって、
ネットワークエンティティへの登録プロセスを開始するように設定される登録ユニットと、
ネットワークエンティティへの登録を開始するプロセスにおいて、前記ネットワークエンティティに指示情報を送信し、前記指示情報は前記ネットワークエンティティにアクティブ化必要なサービス及び／又は非アクティブ化必要なサービスを示すことに用いられるように設定される指示ユニットと、を含むサービスアクティブ化及び非アクティブ化の装置。
【請求項１６】
前記指示ユニットは、具体的に、ネットワークエンティティへの登録を開始するプロセスにおいて、前記ネットワークエンティティに、アクティブ化するサービスのリスト及び／又は非アクティブ化するサービスのリストを含む指示情報を送信し、
前記アクティブ化するサービスのリストは、１つ以上のアクティブ化必要なサービス情報を含み、前記非アクティブ化するサービスのリストは、１つ以上の非アクティブ化必要なサービス情報を含むように設定される請求項１５に記載の装置。
【請求項１７】
前記サービス情報は少なくとも、サービスの識別情報を含む請求項１６に記載の装置。
【請求項１８】
前記サービス情報は、少なくとも、サービスの所属するＰＬＭＮの識別情報またはネットワークエンティティスライスの識別情報を含む請求項１６または１７に記載の装置。
【請求項１９】
前記指示ユニットは、具体的に、前記ネットワークエンティティに登録要求メッセージを送信し、前記登録要求メッセージは前記指示情報を含むように設定される請求項１５に記載の装置。
【請求項２０】
前記指示ユニットは、具体的に、前記ネットワークエンティティに登録完了メッセージを送信し、前記登録完了メッセージは前記指示情報を含むように設定される請求項１５に記載の装置。
【請求項２１】
前記指示ユニットは、具体的に、ネットワークエンティティへのアタッチを開始するプロセスにおいて、前記ネットワークエンティティに指示情報を送信するように設定される請求項１５に記載の装置。
【請求項２２】
前記指示ユニットは、具体的に、ネットワークエンティティに対して位置エリアの更新を開始するプロセスにおいて、前記ネットワークエンティティに指示情報を送信するように設定される請求項１５に記載の装置。
【請求項２３】
前記指示ユニットは、具体的に、ネットワークエンティティに対してトラッキングエリアの更新を開始するプロセスにおいて、前記ネットワークエンティティに指示情報を送信するように設定される請求項１５に記載の装置。
【請求項２４】
前記指示情報は更に、非アクティブ化必要なサービスのコンテキストを解放するように前記ネットワークエンティティをトリガすることに用いられる請求項１５に記載の装置。
【請求項２５】
ネットワークエンティティが変更を送信する場合において、前記指示ユニットは具体的に、ターゲットネットワークエンティティに指示情報を送信し、前記指示情報は、ソースネットワークエンティティに前記指示情報を送信することと、前記ソースネットワークエンティティから送信されたアクティブ化必要なサービスのコンテキストを受信することとを実行するように前記ターゲットネットワークエンティティをトリガすることに用いられるように設定される請求項１５に記載の装置。
【請求項２６】
前記指示情報は、前記指示情報に基づいてアクティブ化必要なサービスを決定し、そして前記アクティブ化必要なサービスのコンテキストを前記ターゲットネットワークエンティティに送信することを実行するように、前記ソースネットワークエンティティをトリガすることに用いられ、
前記指示情報は、前記指示情報に基づいて非アクティブ化必要なサービスを決定し、そして前記非アクティブ化必要なサービスのコンテキストを削除することを実行するように、前記ソースネットワークエンティティをトリガすることに用いられる請求項２５に記載の装置。
【請求項２７】
前記アクティブ化必要なサービスまたは非アクティブ化必要なサービスは、
ＰＤＵセッション、ＰＤＮ接続、ＱｏＳフロー、ベアラ、データフローの内の１つ又は複数のサービスを含む請求項１５に記載の装置。
【請求項２８】
前記ネットワークエンティティはコアネットワークのネットワーク要素である請求項１５〜２７のいずれか１項に記載の装置。
【請求項２９】
コンピュータ記憶媒体であって、コンピュータ実行可能な命令が記憶され、該コンピュータ実行可能な命令がプロセッサによって実行される時、請求項１〜１４のいずれか１項に記載の方法ステップが実現されるコンピュータ記憶媒体。
【発明の詳細な説明】
【技術分野】
【０００１】
本発明は移動通信技術分野に関し、特にサービスアクティブ化及び非アクティブ化の方法、装置、コンピュータ記憶媒体に関する。
【背景技術】
【０００２】
端末が初めてネットワークに登録した後、コアネットワークのネットワーク要素と若干のサービス情報、例えば、プロトコルデータユニット（ＰＤＵ、Ｐｒｏｔｏｃｏｌ  Ｄａｔａ  Ｕｎｉｔ）セッション情報などを確立することになる。端末がアイドル状態に入る時もそれらのサービス情報を保存し、端末が再びネットワークに登録する際、ローカルに保存したサービス情報が有効かどうかについて、コアネットワークのネットワーク要素に確認し、そして全てのサービスをアクティブ化する。しかし、全てのサービスがアクティブ化必要というわけではなく、一部のシーンでは端末は一部のサービスのみをアクティブ化すればよく、現在のサービスアクティブ化の方式ではリソースの浪費となる。
【発明の概要】
【発明が解決しようとする課題】
【０００３】
上記の技術課題を解決するために、本発明の実施例は、サービスアクティブ化及び非アクティブ化の方法、装置、コンピュータ記憶媒体を提供する。
【課題を解決するための手段】
【０００４】
本発明実施例の提供するサービスアクティブ化及び非アクティブ化の方法は、
端末が、ネットワークエンティティへの登録を開始するプロセスにおいて、前記ネットワークエンティティに指示情報を送信し、前記指示情報は前記ネットワークエンティティにアクティブ化必要なサービス及び／又は非アクティブ化必要なサービスを示すことに用いられることを含む。
【０００５】
本発明の実施例において、前記端末がネットワークエンティティへの登録を開始するプロセスにおいて、前記ネットワークエンティティに指示情報を送信することは、
端末が、ネットワークエンティティへの登録を開始するプロセスにおいて、前記ネットワークエンティティに、アクティブ化するサービスのリスト及び／又は非アクティブ化するサービスのリストを含む指示情報を送信し、
前記アクティブ化するサービスのリストは、１つ以上のアクティブ化必要なサービス情報を含み、前記非アクティブ化するサービスのリストは、１つ以上の非アクティブ化必要なサービス情報を含む。
【０００６】
本発明の実施例において、前記サービス情報は、少なくともサービスの識別情報を含む。
【０００７】
本発明の実施例において、前記サービス情報は、少なくとも、サービスの所属する公衆陸上移動網エンティティ（ＰＬＭＮ、Ｐｕｂｌｉｃ  Ｌａｎｄ  Ｍｏｂｉｌｅ  Ｎｅｔｗｏｒｋ）の識別情報またはネットワークエンティティスライスの識別情報を含む。
【０００８】
本発明の実施例において、端末が前記ネットワークエンティティに指示情報を送信することは、
前記端末が前記ネットワークエンティティに登録要求メッセージを送信し、前記登録要求メッセージは前記指示情報を含むことを含む。
【０００９】
本発明の実施例において、端末が前記ネットワークエンティティに指示情報を送信することは、
前記端末が前記ネットワークエンティティに登録完了メッセージを送信し、前記登録完了メッセージは前記指示情報を含むことを含む。
【００１０】
本発明の実施例において、前記端末がネットワークエンティティへの登録を開始するプロセスにおいて、前記ネットワークエンティティに指示情報を送信することは、
前記端末がネットワークエンティティへのアタッチを開始するプロセスにおいて、前記ネットワークエンティティに指示情報を送信することを含む。
【００１１】
本発明の実施例において、前記端末がネットワークエンティティへの登録を開始するプロセスにおいて、前記ネットワークエンティティに指示情報を送信することは、
前記端末がネットワークエンティティに対して位置エリアの更新を開始するプロセスにおいて、前記ネットワークエンティティに指示情報を送信することを含む。
【００１２】
本発明の実施例において、前記端末がネットワークエンティティへの登録を開始するプロセスにおいて、前記ネットワークエンティティに指示情報を送信することは、
前記端末がネットワークエンティティに対してトラッキングエリアの更新を開始するプロセスにおいて、前記ネットワークエンティティに指示情報を送信することを含む。
【００１３】
本発明の実施例において、前記指示情報は更に、非アクティブ化必要なサービスのコンテキストを解放するように前記ネットワークエンティティをトリガすることに用いられる。
【００１４】
本発明の実施例において、ネットワークエンティティが変更を送信する場合において、端末が前記ネットワークエンティティに指示情報を送信することは、
端末がターゲットネットワークエンティティに指示情報を送信し、前記指示情報は、ソースネットワークエンティティに前記指示情報を送信することと、前記ソースネットワークエンティティから送信されたアクティブ化必要なサービスのコンテキストを受信することとを実行するように前記ターゲットネットワークエンティティをトリガすることに用いられることを含む。
【００１５】
本発明の実施例において、前記指示情報は、前記指示情報に基づいてアクティブ化必要なサービスを決定し、そして前記アクティブ化必要なサービスのコンテキストを前記ターゲットネットワークエンティティに送信することを実行するように、前記ソースネットワークエンティティをトリガすることに用いられ、
前記指示情報は、前記指示情報に基づいて非アクティブ化必要なサービスを決定し、そして前記非アクティブ化必要なサービスのコンテキストを削除することを実行するように、前記ソースネットワークエンティティをトリガすることに用いられる。
【００１６】
本発明の実施例において、前記アクティブ化必要なサービスまたは非アクティブ化必要なサービスは、
ＰＤＵセッション、パケットデータネットワーク（ＰＤＮ、Ｐａｃｋｅｔ  Ｄａｔａ    Ｎｅｔｗｏｒｋ）接続、サービス品質（ＱｏＳ、Ｑｕａｌｉｔｙ  ｏｆ  Ｓｅｒｖｉｃｅ）フロー、ベアラ、データフローの内の１つ又は複数のサービスを含む。
【００１７】
本発明の実施例において、前記ネットワークエンティティはコアネットワークのネットワーク要素である。
【００１８】
本発明実施例の提供するサービスアクティブ化及び非アクティブ化の装置は、
ネットワークエンティティへの登録プロセスを開始するように設定される登録ユニットと、
ネットワークエンティティへの登録を開始するプロセスにおいて、前記ネットワークエンティティに指示情報を送信し、前記指示情報は前記ネットワークエンティティにアクティブ化必要なサービス及び／又は非アクティブ化必要なサービスを示すことに用いられるように設定される指示ユニットと、を含む。
【００１９】
本発明の実施例において、前記指示ユニットは、具体的に、ネットワークエンティティへの登録を開始するプロセスにおいて、前記ネットワークエンティティに、アクティブ化するサービスのリスト及び／又は非アクティブ化するサービスのリストを含む指示情報を送信し、
前記アクティブ化するサービスのリストは、１つ以上のアクティブ化必要なサービス情報を含み、前記非アクティブ化するサービスのリストは、１つ以上の非アクティブ化必要なサービス情報を含むように設定される。
【００２０】
本発明の実施例において、前記サービス情報は、少なくともサービスの識別情報を含む。
【００２１】
本発明の実施例において、前記サービス情報は、少なくとも、サービスの所属するＰＬＭＮの識別情報またはネットワークエンティティスライスの識別情報を含む。
【００２２】
本発明の実施例において、前記指示ユニットは、具体的に、前記ネットワークエンティティに登録要求メッセージを送信し、前記登録要求メッセージは前記指示情報を含むように設定される。
【００２３】
本発明の実施例において、前記指示ユニットは、具体的に、前記ネットワークエンティティに登録完了メッセージを送信し、前記登録完了メッセージは前記指示情報を含むように設定される。
【００２４】
本発明の実施例において、前記指示ユニットは、具体的に、ネットワークエンティティへのアタッチを開始するプロセスにおいて、前記ネットワークエンティティに指示情報を送信するように設定される。
【００２５】
本発明の実施例において、前記指示ユニットは、具体的に、ネットワークエンティティに対して位置エリアの更新を開始するプロセスにおいて、前記ネットワークエンティティに指示情報を送信するように設定される。
【００２６】
本発明の実施例において、前記指示ユニットは、具体的に、ネットワークエンティティに対してトラッキングエリアの更新を開始するプロセスにおいて、前記ネットワークエンティティに指示情報を送信するように設定される。
【００２７】
本発明の実施例において、前記指示情報は更に、非アクティブ化必要なサービスのコンテキストを解放するように前記ネットワークエンティティをトリガすることに用いられる。
【００２８】
本発明の実施例において、ネットワークエンティティが変更を送信する場合において、前記指示ユニットは具体的に、ターゲットネットワークエンティティに指示情報を送信し、前記指示情報は、ソースネットワークエンティティに前記指示情報を送信することと、前記ソースネットワークエンティティから送信されたアクティブ化必要なサービスのコンテキストを受信することとを実行するように前記ターゲットネットワークエンティティをトリガすることに用いられるように設定される。
【００２９】
本発明の実施例において、前記指示情報は、前記指示情報に基づいてアクティブ化必要なサービスを決定し、そして前記アクティブ化必要なサービスのコンテキストを前記ターゲットネットワークエンティティに送信することを実行するように、前記ソースネットワークエンティティをトリガすることに用いられ、
前記指示情報は、前記指示情報に基づいて非アクティブ化必要なサービスを決定し、そして前記非アクティブ化必要なサービスのコンテキストを削除することを実行するように、前記ソースネットワークエンティティをトリガすることに用いられる。
【００３０】
本発明の実施例において、前記アクティブ化必要なサービスまたは非アクティブ化必要なサービスは、
ＰＤＵセッション、ＰＤＮ接続、ＱｏＳフロー、ベアラ、データフローの内の１つ又は複数のサービスを含む。
【００３１】
本発明の実施例において、前記ネットワークエンティティはコアネットワークのネットワーク要素である。
【００３２】
本発明実施例の提供するコンピュータ記憶媒体にはコンピュータ実行可能な命令が記憶され、該コンピュータ実行可能な命令がプロセッサによって実行される時、上記のサービスアクティブ化及び非アクティブ化の方法を実現する。
【００３３】
本発明実施例の技術案において、端末はネットワークエンティティへの登録を開始するプロセスにおいて、前記ネットワークエンティティに指示情報を送信し、前記指示情報は前記ネットワークエンティティにアクティブ化必要なサービス及び／又は非アクティブ化必要なサービスを示すことに用いられる。本発明実施例の技術案を採用することで、端末が再びネットワークに登録する場合、アクティブ化必要なサービスだけをアクティブ化し、非アクティブ化必要なサービスを解放すればよく、それによって、リソースを効果的に節約し、そして、サービス効率を高める。
【図面の簡単な説明】
【００３４】
ここで説明する図面は本発明を更に理解するためのもので、本願の一部分となる。本発明の模式的な実施例及びその説明は本発明を説明するためのもので、本発明に対する不適切な限定にはならない。図面について、
【図１】図１は本発明実施例の５Ｇネットワークのシステムアーキテクチャ図である。
【図２】図２は本発明実施例の４Ｇネットワークのシステムアーキテクチャ図である。
【図３】図３は本発明実施例のサービスアクティブ化及び非アクティブ化の方法の模式的なフローチャット１である。
【図４】図４は本発明実施例のサービスアクティブ化及び非アクティブ化の方法の模式的なフローチャット２である。
【図５】図５は本発明実施例のサービスアクティブ化及び非アクティブ化の装置の模式的な構成図である。
【図６】図６は本発明実施例の端末の模式的な構成図である。
【発明を実施するための形態】
【００３５】
本発明実施例の特徴と技術内容を更に詳しく理解できるために、以下は図面を参照しながら本発明実施例の実現について詳しく説明する。尚、添付の図面はただ説明・参考するためのもので、本発明の実施例を限定するためのものではない。
【００３６】
図１は本発明実施例の５Ｇネットワークのシステムアーキテクチャ図であり、図１に示すように、５Ｇネットワークシステムに係る装置は、
端末（ＵＥ、Ｕｓｅｒ  Ｅｑｕｉｐｍｅｎｔ）、無線アクセスネットワーク（ＲＡＮ、Ｒａｄｉｏ  Ａｃｃｅｓｓ  Ｎｅｔｗｏｒｋ）、ユーザプレーン機能（ＵＰＦ、Ｕｓｅｒ  Ｐｌａｎｅ  Ｆｕｎｃｔｉｏｎ）、データネットワーク（ＤＮ、Ｄａｔａ    Ｎｅｔｗｏｒｋ）、受信コアアクセス及びモビリティ管理機能（ＡＭＦ、Ｃｏｒｅ  Ａｃｃｅｓｓ  ａｎｄ  Ｍｏｂｉｌｉｔｙ  Ｍａｎａｇｅｍｅｎｔ  Ｆｕｎｃｔｉｏｎ）、セッション管理機能（ＳＭＦ、Ｓｅｓｓｉｏｎ  Ｍａｎａｇｅｍｅｎｔ  Ｆｕｎｃｔｉｏｎ）、ポリシー制御機能（ＰＣＦ、Ｐｏｌｉｃｙ  Ｃｏｎｔｒｏｌ  Ｆｕｎｃｔｉｏｎ）、アプリケーション機能（ＡＦ、Ａｐｐｌｉｃａｔｉｏｎ  Ｆｕｎｃｔｉｏｎ）、認証サーバ機能（ＡＵＳＦ、Ａｕｔｈｅｎｔｉｃａｔｉｏｎ  Ｓｅｒｖｅｒ  Ｆｕｎｃｔｉｏｎ）、統合データ管理（ＵＤＭ、Ｕｎｉｆｉｅｄ  Ｄａｔａ    Ｍａｎａｇｅｍｅｎｔ）を含む。
【００３７】
図２は本発明実施例の４Ｇネットワークのシステムアーキテクチャ図であり、図２に示すように、４Ｇネットワークシステムに係る装置は、
端末（ＵＥ、Ｕｓｅｒ  Ｅｑｕｉｐｍｅｎｔ）、進化する汎用陸上無線アクセスネットワーク（Ｅ−ＵＴＲＡＮ、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）、移動管理機能（ＭＭＥ、Ｍｏｂｉｌｉｔｙ  Ｍａｎａｇｅｍｅｎｔ  Ｅｎｔｉｔｙ）ネットワーク要素、サービングＧＰＲＳサポートノード（ＳＧＳＮ、Ｓｅｒｖｉｎｇ  ＧＰＲＳ  Ｓｕｐｐｏｒｔ  Ｎｏｄｅ）、ホーム加入者サーバ（ＨＳＳ、Ｈｏｍｅ  Ｓｕｂｓｃｒｉｂｅｒ  Ｓｅｒｖｅｒ）、サービングゲートウェイ（Ｓｅｒｖｉｎｇ  Ｇａｔｅｗａｙ）、パケットデータネットワークゲートウェイ（ＰＤＮ  Ｇａｔｅｗａｙ、Ｐａｃｋｅｔ  Ｄａｔａ    Ｎｅｔｗｏｒｋ  Ｇａｔｅｗａｙ）、ポリシーおよび課金ルール機能ユニット（ＰＣＲＦ、Ｐｏｌｉｃｙ  ａｎｄ  Ｃｈａｒｇｉｎｇ  Ｒｕｌｅｓ  Ｆｕｎｃｔｉｏｎ）を含む。
【００３８】
上記図１、図２の例は単に本発明実施例を実現するネットワークアーキテクチャの実例であり、本発明の実施例は上記図１、図２に記載のネットワーク構造に限定されない。
【００３９】
図３は本発明実施例のサービスアクティブ化及び非アクティブ化の方法の模式的なフローチャット１であり、図３に示すとおり、前記サービスアクティブ化及び非アクティブ化の方法は、
端末が、ネットワークエンティティへの登録を開始するプロセスにおいて、前記ネットワークエンティティに指示情報を送信し、前記指示情報は前記ネットワークエンティティにアクティブ化必要なサービス及び／又は非アクティブ化必要なサービスを示すことに用いられるステップ３０１を含む。
【００４０】
１つの実施形態では、前記指示情報はアクティブ化するサービスのリストを含む。
【００４１】
１つの実施形態では、前記指示情報は非アクティブ化するサービスのリストを含む。
【００４２】
前記アクティブ化するサービスのリストは、１つ以上のアクティブ化必要なサービス情報を含み、前記非アクティブ化するサービスのリストは、１つ以上の非アクティブ化必要なサービス情報を含む。
【００４３】
これに基づいて、端末は、ネットワークエンティティへの登録を開始するプロセスにおいて、前記ネットワークエンティティに、アクティブ化するサービスのリスト及び／又は非アクティブ化するサービスのリストを含む指示情報を送信する。
【００４４】
上記の案において、前記サービス情報は少なくとも、サービスの識別情報を含む。
【００４５】
１つの実施形態では、前記サービス情報は更に、サービスの所属するＰＬＭＮの識別情報またはネットワークエンティティスライスの識別情報を含む。
【００４６】
本発明の実施例において、端末が、ネットワークエンティティへの登録を開始するプロセスにおいて、前記ネットワークエンティティに指示情報を送信することは、
前記端末が前記ネットワークエンティティに登録要求メッセージを送信し、前記登録要求メッセージは前記指示情報を含む方式１と、
前記端末が前記ネットワークエンティティに登録完了メッセージを送信し、前記登録完了メッセージは前記指示情報を含む方式２のいずれか１つによって実現できる。
【００４７】
実際の応用において、端末がネットワークエンティティへの登録を開始するプロセスは、
前記端末がネットワークエンティティへのアタッチを開始するプロセスにおいて、前記ネットワークエンティティに指示情報を送信する情況１と、
前記端末がネットワークエンティティに対して位置エリアの更新を開始するプロセスにおいて、前記ネットワークエンティティに指示情報を送信する情況２と、
前記端末がネットワークエンティティに対してトラッキングエリアの更新を開始するプロセスにおいて、前記ネットワークエンティティに指示情報を送信する情況３と、を含むが、それらには限らない。
【００４８】
本発明の実施例において、前記指示情報は更に、非アクティブ化必要なサービスのコンテキストを解放するように前記ネットワークエンティティをトリガすることに用いられる。
【００４９】
本発明の実施例において、ネットワークエンティティが変更を送信する場合において、端末はターゲットネットワークエンティティに指示情報を送信し、前記指示情報は、ソースネットワークエンティティに前記指示情報を送信することと、前記ソースネットワークエンティティから送信されたアクティブ化必要なサービスのコンテキストを受信することとを実行するように前記ターゲットネットワークエンティティをトリガすることに用いられる。
【００５０】
上記の案において、前記指示情報は、前記指示情報に基づいてアクティブ化必要なサービスを決定し、そして前記アクティブ化必要なサービスのコンテキストを前記ターゲットネットワークエンティティに送信することを実行するように、前記ソースネットワークエンティティをトリガすることに用いられ、
前記指示情報は、前記指示情報に基づいて非アクティブ化必要なサービスを決定し、そして前記非アクティブ化必要なサービスのコンテキストを削除することを実行するように、前記ソースネットワークエンティティをトリガすることに用いられる。
【００５１】
本発明実施例の上記の案において、前記アクティブ化必要なサービスまたは非アクティブ化必要なサービスは、
ＰＤＵセッション、ＰＤＮ接続、ＱｏＳフロー、ベアラ、データフローの内の１つ又は複数のサービスを含む。
【００５２】
本発明実施例の上記の案において、前記ネットワークエンティティはコアネットワークのネットワーク要素である。
【００５３】
以下は５Ｇのネットワークアーキテクチャを参照しながら、本発明実施例の技術案をより詳しく説明する。
【００５４】
図４は本発明実施例のサービスアクティブ化及び非アクティブ化の方法の模式的なフローチャット２であり、図４に示すとおり、前記サービスアクティブ化及び非アクティブ化の方法は以下のステップを含む。
【００５５】
ステップ４０１：ＵＥはＲＡＮに登録要求メッセージを送信する。
【００５６】
ここで、登録要求メッセージは「Ｒｅｇｉｓｔｒａｔｉｏｎ  Ｒｅｑｕｅｓｔ」である。
【００５７】
ここで、登録要求メッセージに、アクティブ化必要なサービス情報及び／又は非アクティブ化必要なサービス情報が含まれてもよい。
【００５８】
ステップ４０２：ＲＡＮはＡＭＦ選択の操作を行う。
【００５９】
ここで、ＲＡＮは新しいＡＭＦを選択し、新しいＡＭＦはターゲットＡＭＦとも称される。
【００６０】
ステップ４０３：ＲＡＮは新しいＡＭＦに登録要求メッセージを送信する。
【００６１】
ここで、登録要求メッセージは「Ｒｅｇｉｓｔｒａｔｉｏｎ  Ｒｅｑｕｅｓｔ」である。
【００６２】
ステップ４０４：新しいＡＭＦは旧いＡＭＦにＵＥコンテキスト要求メッセージを送信する。
【００６３】
ここで、ＵＥコンテキスト要求メッセージは「Ｎａｍｆ＿Ｃｏｍｍｕｎｉｃａｔｉｏｎ＿ＵＥ  Ｃｏｎｔｅｘｔ  Ｔｒａｎｓｆｅｒ」である。ＵＥコンテキスト要求メッセージは、アクティブ化必要なサービス情報及び／又は非アクティブ化必要なサービス情報を含む。
【００６４】
ここで、旧いＡＭＦはソースＡＭＦとも称される。
【００６５】
ステップ４０５：旧いＡＭＦは新しいＡＭＦにＵＥコンテキスト応答メッセージを送信する。
【００６６】
ここで、ＵＥコンテキスト応答メッセージは「Ｎａｍｆ＿Ｃｏｍｍｕｎｉｃａｔｉｏｎ＿ＵＥ  Ｃｏｎｔｅｘｔ  Ｔｒａｎｓｆｅｒ  ｒｅｓｐｏｎｓｅ」である。旧いＡＭＦはアクティブ化必要なサービスのコンテキストをＵＥコンテキスト応答メッセージに含ませて新しいＡＭＦに送信する。
【００６７】
１つの実施形態では、旧いＡＭＦは非アクティブ化必要なサービスのコンテキストを削除する。
【００６８】
ステップ４０６：新しいＡＭＦはＵＥにアイデンティティ要求メッセージを送信する。
【００６９】
ここで、アイデンティティ要求メッセージは「Ｉｄｅｎｔｉｔｙ  Ｒｅｑｕｅｓｔ」である。
【００７０】
ステップ４０７：ＵＥは新しいＡＭＦにアイデンティティ応答メッセージを送信する。
【００７１】
ここで、アイデンティティ応答メッセージは「Ｉｄｅｎｔｉｔｙ  Ｒｅｓｐｏｎｓｅ」である。
【００７２】
ステップ４０８：新しいＡＭＦはＡＵＳＦ選択の操作を行う。
【００７３】
ステップ４０９：新しいＡＭＦは各ネットワーク要素及びＵＥとの間で認証／セキュリティ操作を実行する。
【００７４】
ステップ４１０：新しいＡＭＦは旧いＡＭＦに登録完了通知メッセージを送信する。
【００７５】
ここで、登録完了通知メッセージは「Ｎａｍｆ＿Ｃｏｍｍｕｎｉｃａｔｉｏｎ＿Ｒｅｇｉｓｔｒａｔｉｏｎ  Ｃｏｍｐｌｅｔｅ  Ｎｏｔｉｆｙ」である。
【００７６】
ステップ４１１：新しいＡＭＦはＵＥにアイデンティティ要求メッセージを送信し、そして、ＵＥから送信されたアイデンティティ応答メッセージを受信する。
【００７７】
ここで、アイデンティティ要求メッセージは「Ｉｄｅｎｔｉｔｙ  Ｒｅｑｕｅｓｔ」であり、アイデンティティ応答メッセージは「Ｉｄｅｎｔｉｔｙ  Ｒｅｓｐｏｎｓｅ」である。
【００７８】
ステップ４１２：新しいＡＭＦはデバイス識別レジスタ（ＥＩＲ、Ｅｑｕｉｐｍｅｎｔ  Ｉｄｅｎｔｉｔｙ  Ｒｅｇｉｓｔｅｒ）にＭＥアイデンティティ確認メッセージを送信し、そしてＥＩＲから送信された応答メッセージを受信する。
【００７９】
ここで、アイデンティティ確認メッセージは「Ｎ５ｇ−ｅｉｒ  ＭＥ  Ｉｄｅｎｔｉｔｙ  Ｃｈｅｃｋ＿Ｇｅｔ」である。
【００８０】
ステップ４１３：新しいＡＭＦはＵＤＭ選択の操作を行う。
【００８１】
ステップ４１４ａ−２１４ｂ：新しいＡＭＦは各ネットワーク要素との間で登録／購読検索を行う。
【００８２】
ステップ４１４ｃ：ＵＤＭは旧いＡＭＦにＵＥコンテキスト管理登録解除通知メッセージを送信する。
【００８３】
ここで、ＵＥコンテキスト管理登録解除通知メッセージは「Ｎｕｄｍ＿ＵＥ  Ｃｏｎｔｅｘｔ  Ｍａｎａｇｅｍｅｎｔ＿Ｄｅｒｅｇｉｓｔｒａｔｉｏｎ  Ｎｏｔｉｆｙ」である。
【００８４】
ステップ４１５：新しいＡＭＦはＰＣＦ選択の操作を行う。
【００８５】
ステップ４１６：新しいＡＭＦとＰＣＦは実行ポリシー制御の取得を行う。
【００８６】
ここで、ポリシー制御取得メッセージは「Ｎｐｃｆ＿ＡＭ  Ｐｏｌｉｃｙ  Ｃｏｎｔｒｏｌ＿Ｇｅｔ」である。
【００８７】
ステップ４１７：新しいＡＭＦはＳＭＦに通知メッセージを送信する。
【００８８】
ここで、通知メッセージは「Ｎａｍｆ＿Ｅｖｅｎｔ  Ｅｘｐｏｓｕｒｅ＿Ｎｏｔｉｆｙ（ＵＥ  ｒｅａｃｈ  ａｂｌｉｔｙ  ｓｔａｔｅ  ｗｉｔｈ  ＰＤＵ  ｓｔａｔｕｓ）」である。
【００８９】
ステップ４１８：新しいＡＭＦはＮ３ＩＷＦにＮ２要求メッセージを送信する。
【００９０】
ステップ４１９：Ｎ３ＩＷＦは新しいＡＭＦにＮ２応答メッセージを送信する。
【００９１】
ステップ４２０：旧いＡＭＦとＰＣＦはポリシー制御の削除を行う。
【００９２】
ステップ４２１：新しいＡＭＦはＵＥに登録受け入れメッセージを送信する。
【００９３】
ここで、登録受け入れメッセージは「Ｒｅｇｉｓｔｒａｔｉｏｎ  Ａｃｃｅｐｔ」である。
【００９４】
ステップ４２２：ＵＥは新しいＡＭＦに登録完了メッセージを送信する。
【００９５】
ここで、登録完了メッセージは「Ｒｅｇｉｓｔｒａｔｉｏｎ  Ｃｏｍｐｌｅｔｅ」である。
【００９６】
ここで、登録完了メッセージに、アクティブ化必要なサービス情報及び／又は非アクティブ化必要なサービス情報が含まれてもよい。
【００９７】
上記の案において、新しいＡＭＦは端末の登録要求を受信した後、アクティブ化するサービスのコンテキストを旧いＡＭＦから取得することになる。１つの実施形態では更に、非アクティブ化するサービスを旧いＡＭＦに通知する。旧いＡＭＦは新しいＡＭＦからの通知を受信した後、アクティブ化するサービスのリストにないサービス、または、非アクティブ化するサービスのリストにあるサービスのコンテキストを削除する。
【００９８】
図５は本発明実施例のサービスアクティブ化及び非アクティブ化の装置の模式的な構成図であり、図５に示すように、前記装置は、
ネットワークエンティティへの登録プロセスを開始するように設定される登録ユニット５０１と、
ネットワークエンティティへの登録を開始するプロセスにおいて、前記ネットワークエンティティに指示情報を送信し、前記指示情報は前記ネットワークエンティティにアクティブ化必要なサービス及び／又は非アクティブ化必要なサービスを示すことに用いられるように設定される指示ユニット５０２と、を含む。
【００９９】
１つの実施形態では、前記指示ユニット５０２は、具体的に、ネットワークエンティティへの登録を開始するプロセスにおいて、前記ネットワークエンティティに、アクティブ化するサービスのリスト及び／又は非アクティブ化するサービスのリストを含む指示情報を送信し、
前記アクティブ化するサービスのリストは、１つ以上のアクティブ化必要なサービス情報を含み、前記非アクティブ化するサービスのリストは、１つ以上の非アクティブ化必要なサービス情報を含むように設定される。
【０１００】
１つの実施形態では、前記サービス情報は少なくとも、サービスの識別情報を含む。
【０１０１】
１つの実施形態では、前記サービス情報は少なくとも、サービスの所属するＰＬＭＮの識別情報またはネットワークエンティティスライスの識別情報を含む。
【０１０２】
１つの実施形態では、前記指示ユニット５０２は、具体的に、前記ネットワークエンティティに登録要求メッセージを送信し、前記登録要求メッセージは前記指示情報を含むように設定される。
【０１０３】
１つの実施形態では、前記指示ユニット５０２は、具体的に、前記ネットワークエンティティに登録完了メッセージを送信し、前記登録完了メッセージは前記指示情報を含むように設定される。
【０１０４】
１つの実施形態では、前記指示ユニット５０２は、具体的に、ネットワークエンティティへのアタッチを開始するプロセスにおいて、前記ネットワークエンティティに指示情報を送信するように設定される。
【０１０５】
１つの実施形態では、前記指示ユニット５０２は、具体的に、ネットワークエンティティに対して位置エリアの更新を開始するプロセスにおいて、前記ネットワークエンティティに指示情報を送信するように設定される。
【０１０６】
１つの実施形態では、前記指示ユニット５０２は、具体的に、ネットワークエンティティに対してトラッキングエリアの更新を開始するプロセスにおいて、前記ネットワークエンティティに指示情報を送信するように設定される。
【０１０７】
１つの実施形態では、前記指示情報は更に、非アクティブ化必要なサービスのコンテキストを解放するように前記ネットワークエンティティをトリガすることに用いられる。
【０１０８】
１つの実施形態では、ネットワークエンティティが変更を送信する場合において、前記指示ユニット５０２は具体的に、ターゲットネットワークエンティティに指示情報を送信し、前記指示情報は、ソースネットワークエンティティに前記指示情報を送信することと、前記ソースネットワークエンティティから送信されたアクティブ化必要なサービスのコンテキストを受信することとを実行するように前記ターゲットネットワークエンティティをトリガすることに用いられるように設定される。
【０１０９】
１つの実施形態では、前記指示情報は、前記指示情報に基づいてアクティブ化必要なサービスを決定し、そして前記アクティブ化必要なサービスのコンテキストを前記ターゲットネットワークエンティティに送信することを実行するように、前記ソースネットワークエンティティをトリガすることに用いられ、
前記指示情報は、前記指示情報に基づいて非アクティブ化必要なサービスを決定し、そして前記非アクティブ化必要なサービスのコンテキストを削除することを実行するように、前記ソースネットワークエンティティをトリガすることに用いられる。
【０１１０】
１つの実施形態では、前記アクティブ化必要なサービスまたは非アクティブ化必要なサービスは、
ＰＤＵセッション、ＰＤＮ接続、ＱｏＳフロー、ベアラ、データフローの内の１つ又は複数のサービスを含む。
【０１１１】
１つの実施形態では、前記ネットワークエンティティはコアネットワークのネットワーク要素である。
【０１１２】
当業者が理解すべきように、図５に示すサービスアクティブ化及び非アクティブ化の装置における各ユニットの実現する機能については、前述のサービスアクティブ化及び非アクティブ化の方法に関する説明を参照して理解できる。図５に示すサービスアクティブ化及び非アクティブ化の装置における各ユニットの機能は、プロセッサ上で実行されるプログラムを通して実現できるし、特定の論理回路を通しても実現できる。
【０１１３】
本発明実施例の上記サービスアクティブ化及び非アクティブ化の装置は、もしソフトウェア機能モジュールの形で実現され、そして独立した製品として販売または使用される場合、コンピュータ読み取り可能な記憶媒体に記憶されてもよい。このような理解に基づいて分かるように、本発明実施例の技術案の本質的な部分、又は従来技術に貢献する部分は、ソフトウェア製品の形式で具現でき、該コンピュータソフトウェア製品は１つの記憶媒体に記憶され、そして、１台のコンピュータ装置（パーソナルコンピュータ、サーバ、又はネットワーク装置等）に本発明の各実施例に記載の方法の全部又は一部を実行させるための若干の命令を含む。前述の記憶媒体は、ＵＳＢディスク、リムーバブルハードディスク、読み出し専用メモリ（ＲＯＭ：Ｒｅａｄ−Ｏｎｌｙ  Ｍｅｍｏｒｙ）、磁気ディスクまたは光ディスクなど、プログラムコードを記憶できる各種の媒体を含む。このように、本発明の実施例は、如何なる特定のハードウェアとソフトウェアとの組み合わせにも制限されない。
【０１１４】
それに合わせて、本発明の実施例は更に、コンピュータ実行可能な命令が記憶されるコンピュータ記憶媒体を提供し、該コンピュータ実行可能な命令がプロセッサによって実行される時、本発明実施例の上記サービスアクティブ化及び非アクティブ化の方法が実現される。
【０１１５】
図６は本発明実施例の端末の模式的な構成図であり、図６に示すように、端末６０は、１つまたは複数（図には１つしか示していない）のプロセッサ６０２（プロセッサ６０２はマイクロプロセッサ（ＭＣＵ、Ｍｉｃｒｏ  Ｃｏｎｔｒｏｌｌｅｒ  Ｕｎｉｔ）またはプログラマブルロジックデバイス（ＦＰＧＡ、Ｆｉｅｌｄ  Ｐｒｏｇｒａｍｍａｂｌｅ  Ｇａｔｅ  Ａｒｒａｙ）などの処理装置を含んでもよいが、これには限らない）と、データを記憶するためのメモリ６０４と、通信機能のための伝送装置６０６と、を含んでもよい。当業者が理解できるように、図６に示す構造は模式的なものに過ぎず、上記の電子装置の構造を限定することにはならない。例えば、端末６０は更に、図６に示されたよりも更に多いまたは更に少ない構成要素を含んでもよく、または図６に示されたのと異なる構成を有してもよい。
【０１１６】
メモリ６０４はアプリケーションのソフトウェアプログラム及びモジュール、例えば、本発明実施例におけるサービスアクティブ化及び非アクティブ化の方法に対応するプログラム命令・モジュールを記憶することに用いられることができ、プロセッサ６０２はメモリ６０４に記憶されたソフトウェアプログラム及びモジュールを実行することで、各種機能アプリケーション及びデータ処理を実行し、即ち上記の方法を実現する。メモリ６０４は高速のランダムアクセスメモリを含んでもよく、更に不揮発性メモリ、例えば、１つまたは複数の磁気記憶装置、フラッシュメモリ、または他の不揮発性ソリッドステートメモリなどを含んでもよい。一部の実例において、メモリ６０４は更にプロセッサ６０２に対してリモートで設定されるメモリを含んでもよく、それらのリモートメモリはネットワークを介して端末６０に接続できる。上記ネットワークの実例は、インターネット、イントラネット、ローカルエリアネットワーク、モバイル通信ネットワーク、およびそれらの組み合わせを含むが、それらには限らない。
【０１１７】
伝送装置６０６は、ネットワークを介してデータを受信または送信することに用いられる。上記ネットワークの具体的な実例は、端末６０の通信プロバイダーにより提供される無線ネットワークを含んでもよい。１つの実例において、伝送装置６０６は、ネットワークアダプタ（ＮＩＣ、Ｎｅｔｗｏｒｋ  Ｉｎｔｅｒｆａｃｅ  Ｃｏｎｔｒｏｌｌｅｒ）を含み、基地局を介して他のネットワーク装置に接続でき、それによってインターネットと通信を行うことができる。１つの実例において、伝送装置６０６は、インターネットとワイヤレスで通信するための無線周波（ＲＦ、Ｒａｄｉｏ  Ｆｒｅｑｕｅｎｃｙ）モジュールであってもよい。
【０１１８】
本発明の実施例に記載の技術案同士の間は、衝突がない限り、任意に組み合わせできる。
【０１１９】
本発明の提供する幾つかの実施例において、理解できるように、その開示された方法及びインテリジェント装置は、他の形態で実現されてもよい。以上に説明した装置の実施例は単に模式的なものであり、例えば、説明したユニットの区分は論理的な機能区分に過ぎず、実際の実施では別の区分があってもよく、例えば、複数のユニットまたは構成要素が組み合わせられても、または別のシステムに統合されてもよく、または一部の特徴が無視されても、または実行されなくてもよい。尚、表示または説明した各構成要素相互間の結合または直接結合または通信接続は、いくつかのインターフェース、装置またはユニットを介した間接結合または通信接続であってもよく、電気的、機械的、または他の形態であってよい。
【０１２０】
上記分離したものとして説明したユニットは、物理的に分離されてもされなくてもよく、ユニットとして表示したものは、物理的なユニットであってもでなくてもよく、即ち、一箇所にあってもよく、または複数のネットワークユニットに分散されてもよく、実際の需要に基づいて、その一部または全部のユニットを選択して本実施例案の目的を実現してもよい。
【０１２１】
また、本発明の各実施例において、全ての機能ユニットが１つの第２処理ユニットに集積されてもよく、各ユニットがそれぞれ１つのユニットとして独立してもよく、２つ以上のユニットが１つのユニットに集積されてもよく、上記集積されたユニットは、ハードウェアの形で実現されてもよく、ハードウェア＋ソフトウェア機能ユニットの形で実現されてもよい。
【０１２２】
上記は本発明の具体的な実施例に過ぎず、本発明の保護範囲はこれに限定されるものではなく、当業者は本発明によって開示された技術の範囲内で、容易に想到できる変化や置換は、いずれも本発明の保護範囲内に含まれるべきである。
【図１】
2021512512.tif 000003
【図２】
2021512512.tif 000004
【図３】
2021512512.tif 000005
【図４】
2021512512.tif 000006
【図５】
2021512512.tif 000007
【図６】
2021512512.tif 000008
【手続補正書】
【提出日】令和2年10月28日(2020.10.28)
【手続補正１】
【補正対象書類名】明細書
【補正対象項目名】０００７
【補正方法】変更
【補正の内容】
【０００７】
本発明の実施例において、前記サービス情報は、少なくとも、サービスの所属する公衆陸上移動網エンティティ（ＰＬＭＮ、Ｐｕｂｌｉｃ  Ｌａｎｄ  Ｍｏｂｉｌｅ  Ｎｅｔｗｏｒｋ）の識別情報またはネットワークスライスの識別情報を含む。
【手続補正２】
【補正対象書類名】明細書
【補正対象項目名】００２１
【補正方法】変更
【補正の内容】
【００２１】
本発明の実施例において、前記サービス情報は、少なくとも、サービスの所属するＰＬＭＮの識別情報またはネットワークスライスの識別情報を含む。
【手続補正３】
【補正対象書類名】明細書
【補正対象項目名】００４５
【補正方法】変更
【補正の内容】
【００４５】
１つの実施形態では、前記サービス情報は更に、サービスの所属するＰＬＭＮの識別情報またはネットワークスライスの識別情報を含む。
【手続補正４】
【補正対象書類名】明細書
【補正対象項目名】００８１
【補正方法】変更
【補正の内容】
【００８１】
ステップ４１４ａ−４１４ｂ：新しいＡＭＦは各ネットワーク要素との間で登録／購読検索を行う。
【手続補正５】
【補正対象書類名】明細書
【補正対象項目名】０１０１
【補正方法】変更
【補正の内容】
【０１０１】
１つの実施形態では、前記サービス情報は少なくとも、サービスの所属するＰＬＭＮの識別情報またはネットワークスライスの識別情報を含む。
【手続補正６】
【補正対象書類名】明細書
【補正対象項目名】０１２１
【補正方法】変更
【補正の内容】
【０１２１】
また、本発明の各実施例において、全ての機能ユニットが１つの処理ユニットに集積されてもよく、各ユニットがそれぞれ１つのユニットとして独立してもよく、２つ以上のユニットが１つのユニットに集積されてもよく、上記集積されたユニットは、ハードウェアの形で実現されてもよく、ハードウェア＋ソフトウェア機能ユニットの形で実現されてもよい。
【手続補正７】
【補正対象書類名】特許請求の範囲
【補正対象項目名】全文
【補正方法】変更
【補正の内容】
【特許請求の範囲】
【請求項１】
サービスアクティブ化及び非アクティブ化の方法であって、
端末が、ネットワークエンティティへの登録を開始するプロセスにおいて、前記ネットワークエンティティに指示情報を送信し、前記指示情報は前記ネットワークエンティティにアクティブ化必要なサービス及び／又は非アクティブ化必要なサービスを示すことに用いられることを含むサービスアクティブ化及び非アクティブ化の方法。
【請求項２】
前記端末が、ネットワークエンティティへの登録を開始するプロセスにおいて、前記ネットワークエンティティに指示情報を送信することは、
端末が、ネットワークエンティティへの登録を開始するプロセスにおいて、前記ネットワークエンティティに、アクティブ化するサービスのリスト及び／又は非アクティブ化するサービスのリストを含む指示情報を送信し、
前記アクティブ化するサービスのリストは、１つ以上のアクティブ化必要なサービス情報を含み、前記非アクティブ化するサービスのリストは、１つ以上の非アクティブ化必要なサービス情報を含むことを含む請求項１に記載の方法。
【請求項３】
前記サービス情報は少なくとも、サービスの識別情報を含む請求項２に記載の方法。
【請求項４】
前記サービス情報は、少なくとも、サービスの所属する公衆陸上移動網エンティティ（ＰＬＭＮ）の識別情報またはネットワークスライスの識別情報を含む請求項２または３に記載の方法。
【請求項５】
端末が前記ネットワークエンティティに指示情報を送信することは、
前記端末が前記ネットワークエンティティに登録要求メッセージを送信し、前記登録要求メッセージは前記指示情報を含むことを含む請求項１に記載の方法。
【請求項６】
端末が前記ネットワークエンティティに指示情報を送信することは、
前記端末が前記ネットワークエンティティに登録完了メッセージを送信し、前記登録完了メッセージは前記指示情報を含むことを含む請求項１に記載の方法。
【請求項７】
前記端末がネットワークエンティティへの登録を開始するプロセスにおいて、前記ネットワークエンティティに指示情報を送信することは、
前記端末がネットワークエンティティへのアタッチを開始するプロセスにおいて、前記ネットワークエンティティに指示情報を送信することを含む請求項１に記載の方法。
【請求項８】
前記端末がネットワークエンティティへの登録を開始するプロセスにおいて、前記ネットワークエンティティに指示情報を送信することは、
前記端末がネットワークエンティティに対して位置エリアの更新を開始するプロセスにおいて、前記ネットワークエンティティに指示情報を送信することを含む請求項１に記載の方法。
【請求項９】
前記端末がネットワークエンティティへの登録を開始するプロセスにおいて、前記ネットワークエンティティに指示情報を送信することは、
前記端末がネットワークエンティティに対してトラッキングエリアの更新を開始するプロセスにおいて、前記ネットワークエンティティに指示情報を送信することを含む請求項１に記載の方法。
【請求項１０】
前記指示情報は更に、非アクティブ化必要なサービスのコンテキストを解放するように前記ネットワークエンティティをトリガすることに用いられる請求項１に記載の方法。
【請求項１１】
ネットワークエンティティが変更を送信する場合において、端末が前記ネットワークエンティティに指示情報を送信することは、
端末がターゲットネットワークエンティティに指示情報を送信し、前記指示情報は、ソースネットワークエンティティに前記指示情報を送信することと、前記ソースネットワークエンティティから送信されたアクティブ化必要なサービスのコンテキストを受信することとを実行するように前記ターゲットネットワークエンティティをトリガすることに用いられることを含む請求項１に記載の方法。
【請求項１２】
前記指示情報は、前記指示情報に基づいてアクティブ化必要なサービスを決定し、そして前記アクティブ化必要なサービスのコンテキストを前記ターゲットネットワークエンティティに送信することを実行するように、前記ソースネットワークエンティティをトリガすることに用いられ、
前記指示情報は、前記指示情報に基づいて非アクティブ化必要なサービスを決定し、そして前記非アクティブ化必要なサービスのコンテキストを削除することを実行するように、前記ソースネットワークエンティティをトリガすることに用いられる請求項１１に記載の方法。
【請求項１３】
前記アクティブ化必要なサービスまたは非アクティブ化必要なサービスは、
プロトコルデータユニット（ＰＤＵ）セッション、パケットデータネットワーク（ＰＤＮ）接続、サービス品質（ＱｏＳ）フロー、ベアラ、データフローの内の１つ又は複数のサービスを含む請求項１に記載の方法。
【請求項１４】
前記ネットワークエンティティはコアネットワークのネットワーク要素である請求項１〜１３のいずれか１項に記載の方法。
【請求項１５】
サービスアクティブ化及び非アクティブ化の装置であって、
ネットワークエンティティへの登録プロセスを開始するように設定される登録ユニットと、
ネットワークエンティティへの登録を開始するプロセスにおいて、前記ネットワークエンティティに指示情報を送信し、前記指示情報は前記ネットワークエンティティにアクティブ化必要なサービス及び／又は非アクティブ化必要なサービスを示すことに用いられるように設定される指示ユニットと、を含むサービスアクティブ化及び非アクティブ化の装置。
【請求項１６】
前記指示ユニットは、具体的に、ネットワークエンティティへの登録を開始するプロセスにおいて、前記ネットワークエンティティに、アクティブ化するサービスのリスト及び／又は非アクティブ化するサービスのリストを含む指示情報を送信し、
前記アクティブ化するサービスのリストは、１つ以上のアクティブ化必要なサービス情報を含み、前記非アクティブ化するサービスのリストは、１つ以上の非アクティブ化必要なサービス情報を含むように設定される請求項１５に記載の装置。
【請求項１７】
前記サービス情報は少なくとも、サービスの識別情報を含む請求項１６に記載の装置。
【請求項１８】
前記サービス情報は、少なくとも、サービスの所属するＰＬＭＮの識別情報またはネットワークスライスの識別情報を含む請求項１６または１７に記載の装置。
【請求項１９】
前記指示ユニットは、具体的に、前記ネットワークエンティティに登録要求メッセージを送信し、前記登録要求メッセージは前記指示情報を含むように設定される請求項１５に記載の装置。
【請求項２０】
前記指示ユニットは、具体的に、前記ネットワークエンティティに登録完了メッセージを送信し、前記登録完了メッセージは前記指示情報を含むように設定される請求項１５に記載の装置。
【請求項２１】
前記指示ユニットは、具体的に、ネットワークエンティティへのアタッチを開始するプロセスにおいて、前記ネットワークエンティティに指示情報を送信するように設定される請求項１５に記載の装置。
【請求項２２】
前記指示ユニットは、具体的に、ネットワークエンティティに対して位置エリアの更新を開始するプロセスにおいて、前記ネットワークエンティティに指示情報を送信するように設定される請求項１５に記載の装置。
【請求項２３】
前記指示ユニットは、具体的に、ネットワークエンティティに対してトラッキングエリアの更新を開始するプロセスにおいて、前記ネットワークエンティティに指示情報を送信するように設定される請求項１５に記載の装置。
【請求項２４】
前記指示情報は更に、非アクティブ化必要なサービスのコンテキストを解放するように前記ネットワークエンティティをトリガすることに用いられる請求項１５に記載の装置。
【請求項２５】
ネットワークエンティティが変更を送信する場合において、前記指示ユニットは具体的に、ターゲットネットワークエンティティに指示情報を送信し、前記指示情報は、ソースネットワークエンティティに前記指示情報を送信することと、前記ソースネットワークエンティティから送信されたアクティブ化必要なサービスのコンテキストを受信することとを実行するように前記ターゲットネットワークエンティティをトリガすることに用いられるように設定される請求項１５に記載の装置。
【請求項２６】
前記指示情報は、前記指示情報に基づいてアクティブ化必要なサービスを決定し、そして前記アクティブ化必要なサービスのコンテキストを前記ターゲットネットワークエンティティに送信することを実行するように、前記ソースネットワークエンティティをトリガすることに用いられ、
前記指示情報は、前記指示情報に基づいて非アクティブ化必要なサービスを決定し、そして前記非アクティブ化必要なサービスのコンテキストを削除することを実行するように、前記ソースネットワークエンティティをトリガすることに用いられる請求項２５に記載の装置。
【請求項２７】
前記アクティブ化必要なサービスまたは非アクティブ化必要なサービスは、
ＰＤＵセッション、ＰＤＮ接続、ＱｏＳフロー、ベアラ、データフローの内の１つ又は複数のサービスを含む請求項１５に記載の装置。
【請求項２８】
前記ネットワークエンティティはコアネットワークのネットワーク要素である請求項１５〜２７のいずれか１項に記載の装置。
【請求項２９】
コンピュータ記憶媒体であって、コンピュータ実行可能な命令が記憶され、該コンピュータ実行可能な命令がプロセッサによって実行される時、請求項１〜１４のいずれか１項に記載の方法ステップが実現されるコンピュータ記憶媒体。
【手続補正８】
【補正対象書類名】図面
【補正対象項目名】図４
【補正方法】変更
【補正の内容】
【図４】
2021512512.tif 000009
【国際調査報告】
2021512512.tif 000010
2021512512.tif 000011
2021512512.tif 000012
2021512512.tif 000013